(57)【特許請求の範囲】
【請求項１】
絞り制御用のパルス信号を出力するビデオカメラ本体及びパルス信号とは異なる絞り制御用の信号を出力するビデオカメラ本体に対して交換可能に装着されるビデオカメラ用レンズの絞り装置であって、
レンズの絞り量を調整する絞り機構と、
入力されるパルス信号に応じて前記絞り機構を駆動するパルス信号駆動アクチュエータと、
ビデオカメラ本体に接続され、前記ビデオカメラ本体との間で通信可能な複数の端子を有するコネクタと、
前記複数の端子を介して通信される信号の電圧に基づいて当該信号の制御方式を識別する識別部と、
識別された前記制御方式に応じて前記信号の通信路を切り替える切替部を有し、前記信号に基づくパルス信号により前記パルス信号駆動アクチュエータを制御する制御部と、を備え、
前記切替部は、前記信号の制御方式が前記パルス信号駆動アクチュエータを前記信号によって直接駆動可能ではない制御方式に基づくものであると識別される場合には、前記信号に基づいてパルス信号を生成する信号生成部によって前記信号を変換することにより、前記パルス信号駆動アクチュエータを駆動可能なパルス信号が生成されて前記パルス信号駆動アクチュエータに出力されるように、前記通信路を切り替え、
前記切替部は、前記信号の制御方式が前記パルス信号駆動アクチュエータを前記信号によって直接駆動可能なパルス信号に基づく第１の制御方式であると識別される場合には、前記信号が前記パルス信号駆動アクチュエータに出力されるように、前記通信路を切り替えるビデオカメラ用レンズの絞り装置。
【請求項２】
前記パルス信号駆動アクチュエータを前記信号によって直接駆動可能ではない制御方式は、前記信号がビデオ信号を含む第２の制御方式、および、前記信号がアナログ信号駆動アクチュエータを制御するための信号を含む第３の制御方式、を含む請求項１に記載のビデオカメラ用レンズの絞り装置。
【請求項３】
前記複数の端子は、第１端子、第２端子、第３端子及び第４端子を含み、
前記第１の制御方式では、前記第１端子及び前記第４端子を介して前記パルス信号駆動アクチュエータの第１相に入力される信号を通信可能であり、前記第２端子及び前記第３端子を介して前記パルス信号駆動アクチュエータの第２相に入力される信号を通信可能であり、
前記第２の制御方式では、前記第１端子は電源端子として使用可能であり、前記第３端子を介して映像信号を通信可能であり、前記第４端子はグランド端子として使用可能であり、
前記第３の制御方式では、前記第１端子及び前記第２端子を介して制動信号を通信可能であり、前記第３端子及び前記第４端子を介して駆動信号を通信可能である請求項２に記載のビデオカメラ用レンズの絞り装置。
【請求項４】
前記識別部は、前記第１端子と前記第４端子との間の電圧及び前記第２端子と前記第３端子との間の電圧の各々が、前記パルス信号駆動アクチュエータを駆動するためのパルス信号の電圧を基準に定められる電圧よりも大きく、且つ、前記第１端子、前記第２端子、前記第３端子及び前記第４端子を介して通信される信号がパルス信号である場合には、前記信号の制御方式が前記第１の制御方式であると識別する請求項３に記載のビデオカメラ用レンズの絞り装置。
【請求項５】
前記識別部は、前記第１端子と前記第４端子との間の電圧が、前記第２の制御方式の電源電圧を基準に定められる電圧よりも大きい場合には、前記信号の制御方式が前記第２の制御方式であると識別する請求項３または４に記載のビデオカメラ用レンズの絞り装置。
【請求項６】
前記識別部は、前記第３端子と前記第４端子との間の電圧が、前記第３の制御方式の駆動信号電圧を基準に定められる電圧よりも大きく、且つ、前記第３端子及び前記第４端子を介して通信される信号が直流信号である場合には、前記信号の制御方式が前記第３の制御方式であると識別する請求項３から５のいずれか１項に記載のビデオカメラ用レンズの絞り装置。
【請求項７】
絞り制御用のパルス信号を出力するビデオカメラ本体及びパルス信号とは異なる絞り制御用の信号を出力するビデオカメラ本体に対して交換可能に装着されるビデオカメラ用レンズの絞り装置であって、レンズの絞り量を調整する絞り機構と、入力されるパルス信号に応じて前記絞り機構を駆動するパルス信号駆動アクチュエータと、ビデオカメラ本体に接続され、前記ビデオカメラ本体との間で通信可能な複数の端子を有するコネクタと、前記複数の端子を介して通信される信号の電圧に基づいて当該信号の制御方式を識別する識別部と、識別された前記制御方式に応じて前記信号の通信路を切り替える切替部を有し、前記信号に基づくパルス信号により前記パルス信号駆動アクチュエータを制御する制御部と、を備えるビデオカメラ用レンズの絞り装置の制御方法において、
前記複数の端子を介して通信される信号の電圧に基づいて、当該信号の制御方式を識別するステップと、
識別された前記信号の制御方式に基づいて前記通信路を切り替えるステップと、を含み、
前記切替部は、前記信号の制御方式が前記パルス信号駆動アクチュエータを前記信号によって直接駆動可能ではない制御方式に基づくものであると識別される場合には、前記信号に基づいてパルス信号を生成する信号生成部によって前記信号を変換することにより、前記パルス信号駆動アクチュエータを駆動可能なパルス信号が生成されて前記パルス信号駆動アクチュエータに出力されるように、前記通信路を切り替え、
前記切替部は、前記信号の制御方式が前記パルス信号駆動アクチュエータを前記信号によって直接駆動可能なパルス信号に基づく第１の制御方式であると識別される場合には、前記信号が前記パルス信号駆動アクチュエータに出力されるように、前記通信路を切り替えるビデオカメラ用レンズの絞り装置の制御方法。
【請求項８】
前記複数の端子は、第１端子、第２端子、第３端子及び第４端子を含み、
前記第１の制御方式では、前記第１端子及び前記第４端子を介して前記パルス信号駆動アクチュエータの第１相に入力される信号を通信可能であり、前記第２端子及び前記第３端子を介して前記パルス信号駆動アクチュエータの第２相に入力される信号を通信可能であり、
第２の制御方式では、前記第１端子は電源端子として使用可能であり、前記第３端子を介して映像信号を通信可能であり、前記第４端子はグランド端子として使用可能であり、
第３の制御方式では、前記第１端子及び前記第２端子を介して制動信号を通信可能であり、前記第３端子及び前記第４端子を介して駆動信号を通信可能であり、
前記信号の制御方式を識別する前記ステップは、前記絞り機構によって前記絞り量を調整して絞りを一旦全閉にするステップと、絞りの全閉後に前記第１端子、前記第２端子、前記第３端子及び前記第４端子を介して通信される前記信号を検出するステップとを有する請求項７に記載のビデオカメラ用レンズの絞り装置の制御方法。
【発明の詳細な説明】
【技術分野】
【０００１】
本発明はビデオカメラ用レンズの絞り装置及びその制御方法に係り、特に、パルス信号駆動モータを利用したアクチュエータによって絞り量を調整可能なビデオカメラ用レンズに関する。
【背景技術】
【０００２】
ビデオカメラ等の撮像装置では、絞り機構を具備するレンズユニットがカメラ本体に装着される方式が一般的に採用されている。【０００３】
このようなレンズユニットの絞り機構に関し、画像センサへの光量を適切なレベルに自動的に調整保持する自動絞り制御方式として、ＤＣアイリス制御方式及びビデオアイリス制御方式が広く使われている。【０００４】
ＤＣアイリス制御方式及びビデオアイリス制御方式は、被写体の明るさ変化に応じてアナログ信号駆動のモータにより自動的に絞りを調整する点で共通するが、ＤＣアイリス制御方式では制御回路がカメラ本体内に設けられるのに対し、ビデオアイリス制御方式では制御回路がレンズユニット内に設けられる点で異なる。【０００５】
したがって、カメラ本体及びレンズユニットを制御方式に応じて適切に組み合わせて使用することが必要とされる。しかしながら、カメラ本体とレンズユニットとの間の端子構造はＤＣアイリス制御方式及びビデオアイリス制御方式で共通しているため、相互に対応しない異なる制御方式のカメラ本体とレンズユニットとが接続されることがあった。【０００６】
特許文献１は、光学絞り機構を駆動する駆動回路を内蔵するレンズ及び内蔵しないレンズの両方に対して互換性を保持する撮像装置を開示する。この特許文献１の撮像装置では、第１アイリス駆動回路とは独立な第２アイリス駆動回路が設けられ、第１レンズが装着される場合には第１アイリス駆動回路により第１光学絞り機構が駆動され、第２レンズが装着される場合には第２アイリス駆動回路により第２光学絞り機構が駆動される。【０００７】
また特許文献２は、異なった２種類の自動絞り機構付きレンズを、種類に関係なく、自由にカメラ側のコネクタに挿入接続して使用することが可能な交換接続装置を開示する。この特許文献２の交換接続装置では、コネクタの各端子の電圧又は電流の変化を検出してアナログスイッチを切り替えることにより、ＶＳ制御タイプの自動絞りレンズ及びＤＣ制御タイプの自動絞りレンズに対応可能となっている。【０００８】
一方、最近では、ＤＣアイリス制御方式及びビデオアイリス制御方式以外の制御方式として、ステッピングモータによって絞り量を高精度に制御する所謂Ｐアイリス（Ｐ−Ｉｒｉｓ）制御方式を採用するビデオカメラも使用されている。【０００９】
このＰアイリス制御方式に関連して、例えば特許文献３では、Ｐアイリスレンズを備えたカメラのキャリブレーション法において、Ｐアイリスレンズのパラメータをカメラ側で利用可能とする一手法が提案されている。
【先行技術文献】
【特許文献】
【００１０】
【特許文献１】特開平０２−０３０２７７号公報
【特許文献２】特開２００１−３２０６１７号公報
【特許文献３】特開２０１１−１６４６１４号公報
【発明の概要】
【発明が解決しようとする課題】
【００１１】
上述のように、ＤＣアイリス制御方式及びビデオアイリス制御方式に加え、正確な絞り制御を行うためにステッピングモータを使ったＰアイリス制御方式の絞り装置を搭載するレンズユニットが使われている。しかしながら、市場においては、依然としてビデオアイリス制御方式対応のビデオカメラやＤＣアイリス制御方式対応のビデオカメラが多い。【００１２】
これらのビデオアイリス制御方式、ＤＣアイリス制御方式及びＰアイリス制御方式は、制御構成が全く異なるため、例えばビデオアイリス制御方式対応のカメラ本体に対してＰアイリス制御方式の絞り装置を搭載するレンズユニットを使用することはできない。したがって、Ｐアイリス制御方式の絞り装置を搭載するレンズユニットに対してはＰアイリス制御方式対応のカメラ本体を接続することで、Ｐアイリス制御方式の絞り制御を行う必要があった。【００１３】
しかしながら、ＤＣアイリス制御方式対応のビデオカメラ、ビデオアイリス制御方式対応のビデオカメラ及びＰアイリス制御方式対応のビデオカメラは、カメラ本体とレンズユニットとの間のコネクタ形状に関して互換性（共通性）があることが多い。したがって、制御方式が相互に対応しないカメラ本体とレンズユニットとを、簡単に物理的に接続することができてしまう。この場合、接続されたカメラ本体によって、Ｐアイリス制御方式のレンズの絞り制御ができないという事態が生じる。【００１４】
特に、デジタル信号駆動のステッピングモータを利用するＰアイリス制御方式と、アナログ信号駆動のモータを利用するＤＣアイリス制御方式及びビデオアイリス制御方式とは、制御方式及び制御信号が全く異なる。したがって、上記特許文献１〜３のような従来技術では、ステッピングモータを使用するＰアイリス制御方式の絞り制御を適切に行うことができない。【００１５】
すなわち特許文献１及び特許文献２に開示の技術は、ＤＣアイリス制御方式及びビデオアイリス制御方式には適用可能であるが、ステッピングモータを利用するＰアイリス制御方式に対しては、制御方式及び制御信号が全く異なるため、そもそも適用することができない。また特許文献３は、Ｐアイリス制御方式のレンズユニットに対して他の制御方式のカメラ本体が接続された場合の具体的な制御手法を教示するものではない。【００１６】
本発明は上述の事情に鑑みてなされたものであり、ステッピングモータを利用する絞り制御方式のレンズユニットに対して他の方式（ＤＣオート制御方式、ビデオオート制御方式、等）のカメラ本体が接続された場合に、他の方式の制御信号に基づいて、Ｐアイリス制御方式の絞り制御を適切に行う技術を提供することを目的とする。
【課題を解決するための手段】
【００１７】
本発明の一態様は、絞り制御用のパルス信号を出力するビデオカメラ本体及びパルス信号とは異なる絞り制御用の信号を出力するビデオカメラ本体に対して交換可能に装着されるビデオカメラ用レンズの絞り装置であって、レンズの絞り量を調整する絞り機構と、入力されるパルス信号に応じて絞り機構を駆動するパルス信号駆動アクチュエータと、ビデオカメラ本体に接続され、ビデオカメラ本体との間で通信可能な複数の端子を有するコネクタと、複数の端子を介して通信される信号の電圧に基づいて信号の制御方式を識別する識別部と、識別された制御方式に応じて信号の通信路を切り替える切替部を有し、信号に基づくパルス信号によりパルス信号駆動アクチュエータを制御する制御部と、を備え、切替部は、信号の制御方式がパルス信号駆動アクチュエータを直接駆動可能ではない制御方式に基づくものであると識別される場合には、信号に基づいてパルス信号を生成する信号生成部により、パルス信号駆動アクチュエータを駆動可能なパルス信号が生成されてパルス信号駆動アクチュエータに出力されるように、通信路を切り替え、切替部は、信号の制御方式がパルス信号駆動アクチュエータを直接駆動可能なパルス信号に基づく第１の制御方式であると識別される場合には、信号がパルス信号駆動アクチュエータに出力されるように、通信路を切り替えるビデオカメラ用レンズの絞り装置に関する。【００１８】
本態様によれば、複数の端子（入出力部）がパルス信号とは異なる信号を送受信（通信）する場合であっても、送受信した信号からパルス信号が生成及び出力されるので、通信される信号がパルス信号とは異なる信号であっても、パルス信号駆動アクチュエータを適切に駆動制御することができる。したがって、例えば、信号がパルス信号駆動アクチュエータを駆動可能ではない制御方式であると識別される場合であっても、パルス信号が生成され、そのパルス信号をパルス信号駆動アクチュエータに出力することができる。【００１９】
ここでいうパルス信号駆動アクチュエータとは、パルス信号が入力されることで駆動されるアクチュエータ（例えばモータ等）のことであり、例えばステッピングモータ等が挙げられる。したがって、いわゆるＰアイリス制御方式において使用可能なステッピングモータが本態様におけるパルス信号駆動アクチュエータに該当しうる。【００２０】
好ましくは、パルス信号駆動アクチュエータを直接駆動可能ではない制御方式は、信号がビデオ信号を含む第２の制御方式、および、信号がアナログ信号駆動アクチュエータを制御するための信号を含む第３の制御方式、を含む。【００２１】
本態様によれば、パルス信号駆動アクチュエータによってアイリスコントロールが行われる制御方式（第１の制御方式）の絞り機構を、他の制御方式（第２の制御方式、第３の制御方式）の信号に基づいてコントロールすることも可能である。【００２２】
好ましくは、複数の端子は、第１端子、第２端子、第３端子及び第４端子を含み、第１の制御方式では、第１端子及び第４端子を介してパルス信号駆動アクチュエータの第１相に入力される信号を通信可能であり、第２端子及び第３端子を介してパルス信号駆動アクチュエータの第２相に入力される信号を通信可能であり、第２の制御方式では、第１端子は電源端子として使用可能であり、第３端子を介して映像信号を通信可能であり、第４端子はグランド端子として使用可能であり、第３の制御方式では、第１端子及び第２端子を介して制動信号を通信可能であり、第３端子及び第４端子を介して駆動信号を通信可能である。【００２３】
好ましくは、識別部は、第１端子と第４端子との間の電圧及び第２端子と第３端子との間の電圧の各々が、パルス信号駆動アクチュエータを駆動するためのパルス信号の電圧を基準に定められる電圧よりも大きく、且つ、第１端子、第２端子、第３端子及び第４端子を介して通信される信号がパルス信号である場合には、信号の制御方式が第１の制御方式であると識別する。【００２４】
これらの態様によれば、送受信信号（通信される信号）が第１の制御方式か否かを適切に識別することができる。【００２５】
好ましくは、識別部は、第１端子と第４端子との間の電圧が、第２の制御方式の電源電圧を基準に定められる電圧よりも大きい場合には、信号の制御方式が第２の制御方式であると識別する。【００２６】
本態様によれば、送受信信号（通信される信号）が第２の制御方式か否かを適切に識別することができる。【００２７】
好ましくは、識別部は、第３端子と第４端子との間の電圧が、第３の制御方式の駆動信号電圧を基準に定められる電圧よりも大きく、且つ、第３端子及び第４端子を介して通信される信号が直流信号である場合には、信号の制御方式が第３の制御方式であると識別する。【００２８】
本態様によれば、送受信信号（通信される信号）が第３の制御方式か否かを適切に識別することができる。【００２９】
本発明の他の態様は、絞り制御用のパルス信号を出力するビデオカメラ本体及びパルス信号とは異なる絞り制御用の信号を出力するビデオカメラ本体に対して交換可能に装着されるビデオカメラ用レンズの絞り装置であって、レンズの絞り量を調整する絞り機構と、入力されるパルス信号に応じて絞り機構を駆動するパルス信号駆動アクチュエータと、ビデオカメラ本体に接続され、ビデオカメラ本体との間で通信可能な複数の端子を有するコネクタと、複数の端子を介して通信される信号の電圧に基づいて信号の制御方式を識別する識別部と、識別された制御方式に応じて信号の通信路を切り替える切替部を有し、信号に基づくパルス信号によりパルス信号駆動アクチュエータを制御する制御部と、を備えるビデオカメラ用レンズの絞り装置の制御方法において、複数の端子を介して通信される信号の電圧に基づいて、信号の制御方式を識別するステップと、識別された信号の制御方式に基づいて通信路を切り替えるステップと、を含み、切替部は、信号の制御方式がパルス信号駆動アクチュエータを直接駆動可能ではない制御方式に基づくものであると識別される場合には、信号に基づいてパルス信号を生成する信号生成部により、パルス信号駆動アクチュエータを駆動可能なパルス信号が生成されてパルス信号駆動アクチュエータに出力されるように、通信路を切り替え、切替部は、信号の制御方式がパルス信号駆動アクチュエータを直接駆動可能なパルス信号に基づく第１の制御方式であると識別される場合には、信号がパルス信号駆動アクチュエータに出力されるように、通信路を切り替えるビデオカメラ用レンズの絞り装置の制御方法に関する。【００３０】
好ましくは、複数の端子は、第１端子、第２端子、第３端子及び第４端子を含み、第１の制御方式では、第１端子及び第４端子を介してパルス信号駆動アクチュエータの第１相に入力される信号を通信可能であり、第２端子及び第３端子を介してパルス信号駆動アクチュエータの第２相に入力される信号を通信可能であり、第２の制御方式では、第１端子は電源端子として使用可能であり、第３端子を介して映像信号を通信可能であり、第４端子はグランド端子として使用可能であり、第３の制御方式では、第１端子及び第２端子を介して制動信号を通信可能であり、第３端子及び第４端子を介して駆動信号を通信可能であり、信号の制御方式を識別するステップは、絞り機構によって絞り量を調整して絞りを一旦全閉にするステップと、絞りの全閉後に第１端子、第２端子、第３端子及び第４端子を介して通信される信号を検出するステップとを有する。【００３１】
本態様によれば、ビデオカメラ用レンズの絞りの全閉後に複数の端子（入出力部）が通信する信号を検出するステップが行われるため、信号電圧を精度良く検出することが可能となり、制御方式の識別を正確に行うことができる。【００３２】
本発明の他の態様は、絞り制御用のパルス信号を出力するビデオカメラ本体及びパルス信号とは異なる絞り制御用の信号を出力するビデオカメラ本体に対して交換可能に装着されるビデオカメラ用レンズの絞り装置であって、レンズの絞り量を調整する絞り機構と、入力されるパルス信号に応じて絞り機構を駆動するパルス信号駆動モータを有するアクチュエータと、ビデオカメラ本体に接続され、ビデオカメラ本体との間で通信可能な複数の端子を有するコネクタと、複数の端子を介して通信される通信信号に基づきパルス信号をアクチュエータに出力する制御部であって、通信信号の電圧に基づいて通信信号の制御方式を識別する識別部と、識別された制御方式に基づいてパルス信号を取得する信号処理部とを有する制御部と、を備えるビデオカメラ用レンズの絞り装置に関する。【００３３】
本態様によれば、複数の端子（入出力部）がパルス信号とは異なる通信信号を送受信（通信）する場合であっても、送受信した通信信号から信号処理によってパルス信号が取得、出力されるので、通信信号がパルス信号とは異なる信号であっても、パルス信号駆動モータを適切に駆動制御することができる。【００３４】
ここでいうパルス信号駆動モータとは、パルス信号が入力されることで駆動されるモータのことであり、例えばステッピングモータ等が挙げられる。したがって、いわゆるＰアイリス制御方式において使用可能なステッピングモータが本態様におけるパルス信号駆動モータに該当しうる。【００３５】
好ましくは、制御部は、識別された通信信号の制御方式に応じて信号の通信路を切り替える切替部を有し、切替部は、通信信号の制御方式がアクチュエータを駆動可能なパルス信号に基づくものであると識別される場合には、信号処理部をスキップして、パルス信号に基づく通信信号がアクチュエータに出力されるように、通信路を切り替え、通信信号の制御方式がアクチュエータを駆動可能ではない制御方式に基づくものであると識別される場合には、アクチュエータを駆動可能なパルス信号が、通信信号の制御方式に基づいて信号処理部により取得されてアクチュエータに出力されるように、通信路を切り替える。【００３６】
本態様によれば、通信信号がアクチュエータを駆動可能ではない制御方式であると識別される場合であっても、信号処理部によってパルス信号が取得され、そのパルス信号をアクチュエータに出力することができる。【００３７】
好ましくは、識別部は、通信信号が、少なくともＰアイリス制御方式を含む複数の制御方式のうちいずれの制御方式であるかを識別する。【００３８】
本態様のように、パルス信号駆動モータによってアイリスコントロールが行われるＰアイリス制御方式の絞り機構に対し、本発明を適用することも可能である。【００３９】
好ましくは、複数の制御方式は、Ｐアイリス制御方式、ビデオアイリス制御方式及びＤＣアイリス制御方式を含む。【００４０】
本態様によれば、パルス信号駆動モータによってアイリスコントロールが行われるＰアイリス制御方式の絞り機構を、ビデオアイリス制御方式の信号及びＤＣアイリス制御方式の信号に基づいてコントロールすることも可能である。【００４１】
好ましくは、複数の端子は、第１端子、第２端子、第３端子及び第４端子を含み、Ｐアイリス制御方式では、第１端子及び第４端子を介してパルス信号駆動モータの第１相に入力される信号を通信可能であり、第２端子及び第３端子を介してパルス信号駆動モータの第２相に入力される信号を通信可能であり、ビデオアイリス制御方式では、第１端子は電源端子として使用可能であり、第３端子を介して映像信号を通信可能であり、第４端子はグランド端子として使用可能であり、ＤＣアイリス制御方式では、第１端子及び第２端子を介して制動信号を通信可能であり、第３端子及び第４端子を介して駆動信号を通信可能である。【００４２】
好ましくは、識別部は、第１端子と第４端子との間の電圧及び第２端子と第３端子との間の電圧の各々が、パルス信号駆動モータを駆動するためのパルス信号の電圧を基準に定められる電圧よりも大きく、且つ、第１端子、第２端子、第３端子及び第４端子を介して通信される信号がパルス信号である場合には、通信信号の制御方式がＰアイリス制御方式であると識別する。【００４３】
これらの態様によれば、送受信信号（通信信号）がＰアイリス制御方式か否かを適切に識別することができる。【００４４】
好ましくは、識別部は、第１端子と第４端子との間の電圧が、ビデオアイリス制御方式の電源電圧を基準に定められる電圧よりも大きい場合には、通信信号の制御方式がビデオアイリス制御方式であると識別する。【００４５】
本態様によれば、送受信信号（通信信号）がビデオアイリス制御方式か否かを適切に識別することができる。【００４６】
好ましくは、識別部は、第３端子と第４端子との間の電圧が、ＤＣアイリス制御方式の駆動信号電圧を基準に定められる電圧よりも大きく、且つ、第３端子及び第４端子を介して通信される信号が直流信号である場合には、通信信号の制御方式がＤＣアイリス制御方式であると識別する。【００４７】
本態様によれば、送受信信号（通信信号）がＤＣアイリス制御方式か否かを適切に識別することができる。【００４８】
本発明の他の態様は、絞り制御用のパルス信号を出力するビデオカメラ本体及びパルス信号とは異なる絞り制御用の信号を出力するビデオカメラ本体に対して交換可能に装着されるビデオカメラ用レンズの絞り装置であって、レンズの絞り量を調整する絞り機構と、入力されるパルス信号に応じて絞り機構を駆動するパルス信号駆動モータを有するアクチュエータと、ビデオカメラ本体に接続され、ビデオカメラ本体との間で通信可能な複数の端子を有するコネクタと、を備えるビデオカメラ用レンズの絞り装置の制御方法において、複数の端子を介して通信される通信信号の電圧に基づいて、通信信号の制御方式を識別するステップと、識別された通信信号の制御方式に基づいてパルス信号を取得するステップと、取得されたパルス信号をアクチュエータに出力するステップと、を含むビデオカメラ用レンズの絞り装置の制御方法に関する。【００４９】
好ましくは、複数の端子は、第１端子、第２端子、第３端子及び第４端子を含み、Ｐアイリス制御方式では、第１端子及び第４端子を介してパルス信号駆動モータの第１相に入力される信号を通信可能であり、第２端子及び第３端子を介してパルス信号駆動モータの第２相に入力される信号を通信可能であり、ビデオアイリス制御方式では、第１端子は電源端子として使用可能であり、第３端子を介して映像信号を通信可能であり、第４端子はグランド端子として使用可能であり、ＤＣアイリス制御方式では、第１端子及び第２端子を介して制動信号を通信可能であり、第３端子及び第４端子を介して駆動信号を通信可能であり、通信信号の制御方式を識別するステップは、絞り機構によって絞り量を調整して絞りを一旦全閉にするステップと、絞りの全閉後に第１端子、第２端子、第３端子及び第４端子を介して通信される通信信号を検出するステップとを有する。【００５０】
本態様によれば、ビデオカメラ用レンズの絞りの全閉後に複数の端子（入出力部）が通信する信号を検出するステップが行われるため、信号電圧を精度良く検出することが可能となり、制御方式の識別を正確に行うことができる。とりわけ、ＤＣアイリス制御方式か否かの検出に、本態様は有効である。
【発明の効果】
【００５１】
本発明によれば、複数の端子がパルス信号とは異なる信号を送受信する場合であっても、パルス信号が生成されるので、パルス信号ではない信号に基づいてパルス信号駆動アクチュエータを駆動制御することができる。
【図面の簡単な説明】
【００５２】
【図１】図１はネットワークを介して管理ステーションに接続されるビデオカメラの概略を示すブロック図である。
【図２】図２はビデオアイリス制御方式、ＤＣアイリス制御方式及びＰアイリス制御方式におけるコネクタの各端子で送受信される信号の種類を示す図である。
【図３】図３はレンズユニットコネクタ、レンズユニットコントローラ及びアイリスアクチュエータのアイリス制御の機能構成を示すブロック図である。
【図４】図４はレンズユニットコントローラにおける信号受信〜信号出力までの処理の流れを示すフローチャートである。
【図５】図５は制御方式識別ステップの一例を示すフローチャートである。
【発明を実施するための形態】
【００５３】
以下、添付図面を参照して本発明の実施形態について説明する。
【００５４】
図１は、ネットワークを介して管理ステーションに接続されるビデオカメラの概略を示すブロック図である。
【００５５】
静止画及び動画を撮影可能なビデオカメラ１０は、交換可能なレンズユニット１２（ビデオカメラ用レンズの絞り装置）と、撮像素子２８を具備するビデオカメラ本体１４とを備える。レンズユニット１２のレンズユニットコネクタ２６とビデオカメラ本体１４のカメラ本体コネクタ３４とを介して、レンズユニット１２とビデオカメラ本体１４とは電気的に接続される。このレンズユニット１２は、絞り制御用のパルス信号を出力するビデオカメラ本体１４及びパルス信号とは異なる絞り制御用の信号を出力するビデオカメラ本体１４に対して、交換可能に装着することができる。
【００５６】
レンズユニット１２は、レンズ１６、アイリス（絞り）１８及びフィルタ（図示省略）等を含む光学系と、この光学系を制御する光学系操作部２０とを具備する。光学系操作部２０は、レンズユニットコネクタ２６に接続されるレンズユニットコントローラ２４を有し、レンズユニットコントローラ２４には、アイリス１８を駆動するアイリスアクチュエータ（パルス信号駆動アクチュエータ）２２や、レンズ１６等の他の光学系を駆動するアクチュエータ（図示省略）が接続される。
【００５７】
アイリス１８は、レンズ１６の絞り量を調整する絞り機構であり、複数の絞り羽根によって構成される。これらの絞り羽根は、アイリスアクチュエータ２２によって駆動され、「入光を遮断しない位置（開放位置）」から「入光を遮断するように可能な限り閉じた位置（例えば完全に閉じた位置）（閉位置）まで」絞り量を調整することができる。
【００５８】
レンズユニットコントローラ２４は、レンズユニットコネクタ２６を介してビデオカメラ本体１４から送られてくる制御信号に基づき、アクチュエータを介して光学系を制御し、例えば、レンズ移動によるフォーカス制御やズーム制御、アイリスアクチュエータ２２を介したアイリス１８の絞り量制御、等を行う。
【００５９】
本実施形態のアイリスアクチュエータ２２は、入力されるパルス信号に応じてアイリス１８（絞り機構）を駆動するパルス信号駆動モータを含んで構成される。このようなパルス信号駆動モータとして、例えばステッピングモータを好適に使用可能である。以下の説明では、アイリスアクチュエータ２２がステッピングモータを含んで構成されるいわゆる「Ｐアイリス制御方式（第１の制御方式）」のレンズユニット１２が用いられる例について説明する。
【００６０】
ステッピングモータは、パルス電力に同期して動作し、正確な位置決め制御を行うことができる。本例のステッピングモータは、第１相（＋Ａ相、−Ａ相）及び第２相（＋Ｂ相、−Ｂ相）を有し、各相を構成するコイルのポート（＋Ａ相、−Ａ相、＋Ｂ相、−Ｂ相）への信号入力パターンを変えることで、所望角度にモータを回転させることが可能である。
【００６１】
レンズユニットコネクタ２６は、ビデオカメラ本体１４（カメラ本体コネクタ３４）に接続され、ビデオカメラ本体１４との間で通信可能な複数の端子（第１端子〜第４端子）を有する。
【００６２】
ビデオカメラ本体１４の撮像素子２８は、ＲＧＢ等のカラーフィルタとイメージセンサ（ＣＭＯＳ、ＣＣＤ等）とを有し、レンズユニット１２の光学系（レンズ１６、アイリス１８等）を介して照射される被写体像の光を電気信号に変換し、画像信号をカメラ本体コントローラ３０に送る。
【００６３】
カメラ本体コントローラ３０は、ビデオカメラ本体１４を統括的に制御し、例えば撮像素子２８からの画像信号を画像処理したり、レンズユニット１２を制御するための制御信号を作成してカメラ本体コネクタ３４を介してレンズユニット１２（レンズユニットコントローラ２４）に送信したり、入出力インターフェース３６を介して接続される外部機器類（管理ステーション７０等）に画像処理前後の画像データを送信したりする。
【００６４】
カメラ本体コントローラ３０は、必要に応じた任意の画像処理を行うことができ、センサ補正処理、画素補間処理、色補正処理、シャープネス処理、トーン補正処理、露出補正処理、ＭＰＥＧ圧縮処理、等を行うことができる。
【００６５】
なお、カメラ本体コントローラ３０にはカメラ本体メモリ３２が接続されており、カメラ本体コントローラ３０は、カメラ本体メモリ３２へのデータ類の保存及び読み出しを行う。カメラ本体メモリ３２は、撮像画像データや画像処理済画像データなどの各種のデータ類（データ、プログラム、処理パラメータ、等）を保存可能であるだけではなく、カメラ本体コントローラ３０の演算処理のためのデータ展開領域等としても使用可能である。なお、カメラ本体メモリ３２は、ビデオカメラ本体１４の内蔵メモリとして構成されてもよいし、リムーバブルメモリとして構成されてもよいし、或いはネットワークアタッチドストレージユニット、パーソナルコンピュータ、サーバー等に局在化されてもよい。
【００６６】
カメラ本体コントローラ３０において画像処理された画像データは、入出力インターフェース３６に接続されるネットワーク６０を介して管理ステーション７０に送られる。なお、ネットワーク６０に対するビデオカメラ本体１４の入出力インターフェース３６及び管理ステーションインタフェース７２の接続態様は、有線接続であってもよいし、無線接続であってもよい。
【００６７】
管理ステーション７０は、ビデオカメラ本体１４の入出力インターフェース３６、ネットワーク６０及び管理ステーションインタフェース７２を介してビデオカメラ１０に接続され、ビデオカメラ本体１４から送られてくる画像データ等のデータ類を受信する。管理ステーションインタフェース７２に接続される管理ステーションコントローラ７４は、管理ステーション７０を統括的に制御する。例えば、管理ステーションコントローラ７４は、ビデオカメラ１０からの画像データ受信及びビデオカメラ１０の駆動制御信号の送信を制御したり、受信した画像データを画像処理したりする。
【００６８】
管理ステーション７０はディスプレイ７６を有し、管理ステーションコントローラ７４における処理内容等がディスプレイ７６に必要に応じて表示される。ユーザは、ディスプレイ７６の表示を確認しながらキーボード等の入力部（図示省略）を操作することで管理ステーションコントローラ７４に対してデータや指示を入力し、管理ステーション７０に接続されるビデオカメラ１０を制御することも可能である。
【００６９】
このように、ユーザは管理ステーション７０を介してビデオカメラ１０を遠隔操作することも可能である。すなわちユーザは、ビデオカメラ１０による撮影画像を管理ステーション７０のディスプレイ７６に表示させ、ディスプレイ７６の表示を見ながらビデオカメラ１０の調整指示（例えば、露光制御、パン・チルト操作、静止画撮影指示、ズーム制御等）をキーボード等の入力部を操作することで遠隔操作することができる。このような遠隔操作は、管理ステーション７０（キーボード等）に入力されるユーザからの指示に基づいてビデオカメラ１０が適切に操作制御されるよう、管理ステーションコントローラ７４、カメラ本体コントローラ３０及びレンズユニットコントローラ２４が共働することによって実現される。これらの各コントローラ（レンズユニットコントローラ２４、カメラ本体コントローラ３０、管理ステーションコントローラ７４）は、制御処理に必要な回路類を備え、例えば演算処理回路（ＣＰＵ等）やメモリ等を具備する。
【００７０】
なお、ビデオカメラ１０にはネットワーク６０を介して一つの管理ステーション７０が設けられていてもよいし、複数の管理ステーション７０が設けられていてもよい。
【００７１】
上述の構成を有するビデオカメラ１０では、カメラ本体コントローラ３０とレンズユニットコントローラ２４との間で適切な通信状態を確立するため、起動した際に、レンズユニット１２とビデオカメラ本体１４とが適切に接続されたか否か及びビデオカメラ本体１４の種別が検知される。また、本実施形態では、「アイリス１８の制御方式」がレンズユニットコントローラ２４において検知される。
【００７２】
これらの検知は、相互に接続されるレンズユニットコネクタ２６及びカメラ本体コネクタ３４の間で送受信される信号に基づいて行われる。
【００７３】
一般に、ビデオカメラの制御方式として、ビデオアイリス制御方式（第２の制御方式）、ＤＣアイリス制御方式（第３の制御方式）及びＰアイリス制御方式（第１の制御方式）が使われている。これらの制御方式間で、レンズユニットコネクタ２６及びカメラ本体コネクタ３４の形状は共通するため、制御方式の異なるレンズユニット１２とビデオカメラ本体１４とが接続されることがある。
【００７４】
図２は、ビデオアイリス制御方式、ＤＣアイリス制御方式及びＰアイリス制御方式におけるレンズユニットコネクタ２６の各端子で送受信される信号を示す図である。
【００７５】
一般に、ビデオアイリス制御方式、ＤＣアイリス制御方式及びＰアイリス制御方式の各々において、レンズユニットコネクタ２６及びカメラ本体コネクタ３４は４つの端子（第１端子、第２端子、第３端子及び第４端子）を有する。
【００７６】
Ｐアイリス制御方式では、ステッピングモータ（パルス信号駆動モータ）の第１相（＋Ａ相、−Ａ相）に入力される信号が第１端子及び第４端子を介して通信可能であり、ステッピングモータの第２相（＋Ｂ相、−Ｂ相）に入力される信号が第２端子と第３端子を介して通信可能である。
【００７７】
ビデオアイリス制御方式では、信号（通信信号）がビデオ信号を含み、第１端子は電源端子（＋Ｖ）として使用可能であり、第２端子は未接続端子（ＮＣ）であり、第３端子を介してビデオ信号（映像信号）を通信可能であり、第４端子はグランド端子（ＧＮＤ）として使用可能である。
【００７８】
ＤＣアイリス制御方式では、信号（通信信号）がアナログ信号によって駆動可能なアクチュエータ（アナログ信号駆動アクチュエータ）を制御するための信号を含み、第１端子及び第２端子を介して制動信号（Ｄａｍｐ．−、Ｄａｍｐ．＋）を通信可能であり、第３端子及び第４端子を介して駆動信号（Ｄｒｉｖｅ＋、Ｄｒｉｖｅ−）を通信可能である。
【００７９】
したがって、レンズユニット１２は、絞り制御用のパルス信号（ステッピングモータ用駆動信号）を出力するビデオカメラ本体１４だけではなく、パルス信号とは異なる絞り制御用の信号を出力するビデオカメラ本体に対して、交換可能に装着することができる。
【００８０】
一般に、ステッピングモータを使用するＰアイリス制御方式のレンズユニット１２に対して、Ｐアイリス制御方式のビデオカメラ本体１４が接続される場合には、ビデオカメラ本体１４によってレンズユニット１２を適切に操作コントロールすることができる。しかしながら、Ｐアイリス制御方式のレンズユニット１２に対して、ＤＣアイリス制御方式やビデオアイリス制御方式のビデオカメラ本体１４が接続される場合、制御方式の異なる信号がレンズユニットコネクタ２６に入力されるため、レンズユニットコントローラ２４は受信信号に基づいてアイリスアクチュエータ２２を適切に制御することができない。
【００８１】
そこで、本実施形態では、カメラ本体コネクタ３４及びレンズユニットコネクタ２６を介してビデオカメラ本体１４とレンズユニット１２との間で送受信される信号（通信信号）が、いずれの制御方式によるものかが識別される。ビデオカメラ本体１４から送られてくる信号がＰアイリス制御方式であると識別される場合には、このＰアイリス制御方式の受信信号によってアイリスアクチュエータ２２を駆動する。一方、ビデオカメラ本体１４から送られてくる信号がビデオアイリス制御方式又はＤＣアイリス制御方式であると識別される場合には、アイリスアクチュエータ２２（ステッピングモータ）の駆動に適した信号に受信信号を信号処理し、この信号処理後の信号によってアイリスアクチュエータ２２を駆動する。
【００８２】
図３は、レンズユニット１２のレンズユニットコネクタ２６、レンズユニットコントローラ２４及びアイリスアクチュエータ２２のアイリス制御の機能構成を示すブロック図である。
【００８３】
レンズユニットコネクタ２６を介して受信される信号は、レンズユニットコントローラ２４を経て、ステッピングモータ用駆動信号（パルス信号）の形でアイリスアクチュエータ２２に出力される。
【００８４】
レンズユニットコントローラ２４は、レンズユニットコネクタ２６を介して受信される信号に基づくパルス信号によりアイリスアクチュエータ２２を制御する制御部として機能し、信号種識別用ＣＰＵ（識別部）４０、切替回路４２、切替器４３、切替器４４（切替部）及び各種の信号処理部を有する。信号種識別用ＣＰＵ（識別部）４０は、レンズユニットコネクタ２６を介して送受信される信号の電圧に基づいて信号種別（制御方式）を識別する。切替回路４２、切替器４３及び切替器４４は、識別された信号種別（制御方式）に応じて通信路を切り替える。信号処理部は、識別した信号種別（制御方式）に基づいてパルス信号を取得するための各種の信号処理を行う。
【００８５】
信号種識別用ＣＰＵ４０は、レンズユニットコネクタ２６の第１端子２６−１〜第４端子２６−４が送受信する信号の電圧に基づいて、信号の制御方式を識別する。本例の信号種識別用ＣＰＵ４０は、この信号が、Ｐアイリス制御方式、ビデオアイリス制御方式及びＤＣアイリス制御方式のうちいずれの制御方式であるかを識別する。そして、信号種識別用ＣＰＵ４０は、識別結果を示す信号種別判定信号を切替回路４２に送信する。
【００８６】
信号種別判定信号を受信した切替回路４２は、信号種識別用ＣＰＵ４０により識別された信号の制御方式に応じた通信路切替信号を切替器４３及び切替器４４に送信し、通信路を切り替える。本例では、ＤＣアイリス制御方式信号用の通信路、ビデオアイリス制御方式用の通信路及びＰアイリス制御方式用の通信路が設けられている。切替回路４２は、レンズユニットコネクタ２６に接続される切替器４３とアイリスアクチュエータ２２に接続される切替器４４とを制御し、レンズユニットコネクタ２６を介して受信された信号が、識別された制御方式に応じた通信路を送信されるようにする。
【００８７】
例えば、レンズユニットコネクタ２６を介して送受信された信号の制御方式がアイリスアクチュエータ２２を直接駆動可能なパルス信号に基づく制御方式（Ｐアイリス制御方式）であると識別される場合には、信号処理部をスキップして、ビデオカメラ本体１４からの信号がアイリスアクチュエータ２２に出力されるように、切替回路４２は切替器４３及び切替器４４をコントロールして通信路を切り替える（図３の「Ｐアイリス制御方式通信路」参照）。一方、レンズユニットコネクタ２６を介して送受信された信号の制御方式がアイリスアクチュエータ２２を直接駆動可能ではない制御方式（ＤＣアイリス制御方式又はビデオアイリス制御方式）に基づくものであると識別される場合には、アイリスアクチュエータ２２を駆動可能なパルス信号が、信号（信号の制御方式）に基づき信号処理部により生成されてアイリスアクチュエータ２２に出力されるように、切替回路４２は切替器４３及び切替器４４をコントロールして通信路を切り替える（図３の「ＤＣアイリス制御方式通信路」及び「ビデオアイリス制御方式通信路」参照）。
【００８８】
信号処理部は、識別された制御方式に応じて、「ステッピングモータ用駆動パルス信号」を取得するための信号処理をする。
【００８９】
本例では、ＤＣアイリス制御方式の信号及びビデオアイリス制御方式の信号を、ステッピングモータ用駆動パルス信号に信号処理するため、ＤＣアイリス制御方式通信路及びビデオアイリス制御方式通信路の各々に特有の信号処理部が設けられている。
【００９０】
例えばＤＣアイリス制御方式通信路には、信号処理部として、ＤＣアイリス信号変換回路４７、アナログ／デジタルコンバータ４８（ＡＤＣ４８ａ及びＤＡＣ４８ｂ）、ＤＣ信号調整用ＣＰＵ４９及びステッピングモータドライバ（ＳＴＭドライバ）５０が、切替器４３と切替器４４との間に順次設けられる。またビデオアイリス制御方式通信路には、信号処理部として、電源５１、検波／平滑回路５２、レベル比較回路５３、ＡＤ変換回路５４、ビデオ信号調整用ＣＰＵ５５及びステッピングモータドライバ５６が、切替器４３と切替器４４との間に順次設けられる。
【００９１】
ビデオカメラ本体１４がＤＣアイリス制御方式に基づいており、レンズユニットコネクタ２６がＤＣアイリス制御方式の信号を受信した場合、信号種識別用ＣＰＵ４０によって受信信号がＤＣアイリス制御方式であると識別され、切替回路４２、切替器４３及び切替器４４によって、通信路がＤＣアイリス制御方式通信路に切り替えられる。そして、ＤＣアイリス制御方式通信路では、ＤＣアイリス信号変換回路４７において送受信信号（駆動信号及び制動信号）の信号変換処理を行い、アナログ／デジタルコンバータ４８において駆動信号がＡＤＣ４８ａによってアナログ信号からデジタル信号に変換され、制動信号がＤＡＣ４８ｂによってデジタル信号からアナログ信号に変換される。
【００９２】
そして、ＤＣ信号調整用ＣＰＵ４９において、アイリス１８の制御（絞り制御）を適切に行うために、デジタル信号形式の駆動信号がアイリスアクチュエータ（ステッピングモータ）２２用のパルス信号に変換される。すなわち、ＤＣ信号調整用ＣＰＵ４９は、信号（送受信信号）に基づいてパルス信号を生成する信号生成部として機能する。そして、ステッピングモータドライバ（ＳＴＭドライバ）５０においてアイリスアクチュエータ２２を駆動可能な具体的な信号（第１相用信号及び第２相用信号）に調整され、この調整後の信号が切替器４４を介してアイリスアクチュエータ２２に出力される。
【００９３】
なおＤＣアイリス制御方式では、ビデオカメラ本体１４においてビデオ信号から得た輝度信号に基づく駆動電圧がレンズユニット１２側に入力され、またモータの回転速度に対応する制動信号（制動電圧）がビデオカメラ本体１４側に入力される。ビデオカメラ本体１４側では、入力される制動電圧を考慮して駆動電圧を調整するフィードバック制御を行う。このように、実際のアイリス１８が「Ｐアイリス制御方式」であったとしても、あたかも「ＤＣアイリス制御方式のアイリス１８（レンズユニット１２）」を制御しているように、ビデオカメラ本体１４側（カメラ本体コントローラ３０）に見せかける必要がある。したがって、ＤＣ信号調整用ＣＰＵ４９は制動信号を適宜算出し、この制動信号が、ＤＡＣ４８ｂ、ＤＣアイリス信号変換回路４７、切替器４３、レンズユニットコネクタ２６及びカメラ本体コネクタ３４を介してカメラ本体コントローラ３０に送られ、カメラ側のサーボ回路のフィードバック信号として用いられる。
【００９４】
一方、ビデオカメラ本体１４がビデオアイリス制御方式に基づいており、レンズユニットコネクタ２６がビデオアイリス制御方式の信号を受信した場合、信号種識別用ＣＰＵ４０によって受信信号がビデオアイリス制御方式であると識別され、切替回路４２、切替器４３及び切替器４４によって、通信路がビデオアイリス制御方式通信路に切り替えられる。ビデオアイリス制御方式通信路では、電源５１には第１端子２６−１及び第４端子２６−４からの電圧信号が供給される。また第３端子２６−３が受信するビデオ信号（輝度信号）が検波／平滑回路５２において検波及び平滑化されて直流化され、レベル比較回路５３においてこの直流化されたビデオ信号の電圧レベルが基準信号の電圧レベルと比較されて絞りの開閉方向及び作動量に対応した「駆動信号（ビデオ信号に基づくアイリス駆動信号）」が作られる。この駆動信号は、ＡＤ変換回路５４においてアナログ信号からデジタル信号に変換され、ビデオ信号調整用ＣＰＵ５５において、アイリス１８の制御（絞り制御）を適切に行うために、デジタル信号形式の信号からアイリスアクチュエータ（ステッピングモータ）２２用のパルス信号に変換される。すなわち、ビデオ信号調整用ＣＰＵ５５は、信号（送受信信号）に基づいてパルス信号を生成する信号生成部として機能する。そして、ステッピングモータドライバ５６においてアイリスアクチュエータ２２を駆動可能な具体的な信号（第１相用信号及び第２相用信号）に調整され、この調整後の信号が切替器４４を介してアイリスアクチュエータ２２に出力される。
【００９５】
このように、信号種識別用ＣＰＵ４０及び信号処理部を有するレンズユニットコントローラ２４は、第１端子２６−１〜第４端子２６−４を介して通信される信号に基づき、パルス信号をアイリスアクチュエータ２２に出力することができる。
【００９６】
図４は、レンズユニットコントローラ２４における信号受信〜信号出力までの処理の流れを示すフローチャートである。
【００９７】
本例のレンズユニットコントローラ２４における絞り制御方法は、レンズユニットコネクタ２６が受信するアイリス制御信号の制御方式を識別するステップと、識別した制御方式に応じて通信路を切り替えるステップと、識別した制御方式に応じた信号処理を行うステップと、パルス信号をアイリスアクチュエータ２２に出力するステップとを含む。
【００９８】
まず、信号種識別用ＣＰＵ４０において、レンズユニットコネクタ２６を介して送受信される信号の制御方式を識別する（図４のＳ１０）。本例では、第１端子２６−１〜第４端子２６−４を介して通信される信号の電圧に基づいて、信号の制御方式が識別される。なお、信号の制御方式を識別する手法の詳細については後述する（図５参照）。
【００９９】
識別した制御方式がビデオアイリス制御方式の場合（Ｓ１１のＹｅｓ）、切替回路４２は切替器４３及び切替器４４を制御して、ビデオアイリス制御方式通信路をオープンし、他の制御方式の通信路をクローズする（Ｓ１４）。
【０１００】
識別した制御方式がビデオアイリス制御方式ではなく（Ｓ１１のＮｏ）、ＤＣアイリス制御方式の場合（Ｓ１２のＹｅｓ）、切替回路４２は切替器４３及び切替器４４を制御して、ＤＣアイリス制御方式通信路をオープンし、他の制御方式の通信路をクローズする（Ｓ１５）。
【０１０１】
識別した制御方式がＤＣアイリス制御方式ではなく（Ｓ１２のＮｏ）、Ｐアイリス制御方式の場合（Ｓ１３のＹｅｓ）、切替回路４２は切替器４３及び切替器４４を制御して、Ｐアイリス制御方式通信路をオープンし、他の制御方式の通信路をクローズする（Ｓ１６）。
【０１０２】
識別した制御方式がＰアイリス制御方式ではなく（Ｓ１３のＮｏ）、他の制御方式（制御方式が不明）の場合（Ｓ１３のＮｏ）、信号種識別用ＣＰＵ４０は、対応不可であることを示すエラー信号をレンズユニットコネクタ２６及びカメラ本体コネクタ３４を介してカメラ本体コントローラ３０に送信し、またパワーオフ回路４６にパワーオフ信号を送信し、レンズユニット１２をパワーオフする（Ｓ２２）。エラー信号を受信したカメラ本体コントローラ３０は、管理ステーション７０にエラー信号を送信し、レンズユニット１２及びビデオカメラ本体１４の組み合わせが不適切であることをユーザに報知する。
【０１０３】
そして、ビデオアイリス制御方式通信路に切り替えられた場合（Ｓ１４）やＤＣアイリス制御方式通信路に切り替えられた場合（Ｓ１５）には、それぞれの通信路に設けられる信号処理部（図３参照）の信号処理によって、アイリスアクチュエータ２２駆動用のパルス信号が作られる（Ｓ１７、Ｓ１８）。
【０１０４】
すなわち、ビデオアイリス制御方式の信号は、電源５１、検波／平滑回路５２、レベル比較回路５３、ＡＤ変換回路５４、ビデオ信号調整用ＣＰＵ５５及びステッピングモータドライバ５６を経て、アイリスアクチュエータ２２（ステッピングモータ）を駆動するためのパルス信号に信号処理される。またＤＣアイリス制御方式の信号は、ＤＣアイリス信号変換回路４７、アナログ／デジタルコンバータ４８（ＡＤＣ４８ａ及びＤＡＣ４８ｂ）、ＤＣ信号調整用ＣＰＵ４９及びステッピングモータドライバ５０を経て、アイリスアクチュエータ２２（ステッピングモータ）を駆動するためのパルス信号に信号処理される。
【０１０５】
このようにして、ビデオアイリス制御方式の信号或いはＤＣアイリス制御方式の信号から作成されたパルス信号は、切替器４４を経て、アイリスアクチュエータ２２に出力される（Ｓ１９、Ｓ２０）。
【０１０６】
なお、Ｐアイリス制御方式の信号であると識別されてＰアイリス制御方式通信路に切り替えられた場合（Ｓ１６）には、レンズユニットコネクタ２６の受信信号がアイリスアクチュエータ２２の制御信号として適切なパルス信号であると判断され、上記信号処理（Ｓ１７、Ｓ１８）を経ることなく、アイリスアクチュエータ２２に出力される（Ｓ２１）。
【０１０７】
上述のような一連の処理によって、アイリスアクチュエータ２２には、ステッピングモータを駆動させるのに適したパルス信号が入力され、アイリスアクチュエータ２２は入力されるパルス信号に応じてアイリス１８をコントロールし、所望の絞り量が達成される。
【０１０８】
次に、制御方式の識別の具体的手法について説明する。
【０１０９】
図５は、制御方式の識別ステップの一例を示すフローチャートである。
【０１１０】
下述の識別ステップは、レンズユニット１２とビデオカメラ本体１４とが接続された状態で起動された際に、管理ステーション７０を介したユーザからの指示によらずに自動的に実行されることが好ましいが、管理ステーション７０を介したユーザからの指示に応じて実行されてもよい。
【０１１１】
レンズユニットコネクタ２６を介して通信される信号の制御方式を識別する場合（制御方式識別ステップ）、まずアイリス１８（図１参照）によって絞り量が調整され、ビデオカメラ用レンズの絞りが一旦全閉にされる（図５のＳ３０）。すなわち、信号種識別用ＣＰＵ４０は、信号の制御方式の具体的な識別処理に入る前に、アイリス１８を全閉するためのパルス信号（アイリス全閉指示信号）をアイリスアクチュエータ２２に送信してアイリス１８を全閉する。
【０１１２】
アイリス１８を全閉状態（クローズ状態）にすると、撮影される画像データ（映像信号）は黒レベルに近くなる。したがって、そのような場合、オートアイリスコントロール方式（特にＤＣアイリス制御方式）下では、アイリス駆動信号の電圧が大きくなる（例えば最大値を示す）。これにより、レンズユニットコネクタ２６の各端子が受信する信号の電圧に基づいて信号の制御方式を識別する下記判定（とりわけＤＣアイリス制御方式の判定）を、精度良く行うことができる。
【０１１３】
信号種識別用ＣＰＵ４０は、ビデオカメラ用レンズの絞りの全閉後に、第１端子２６−１〜第４端子２６−４を介して通信される信号（通信信号）を検出し、第１端子２６−１と第４端子２６−４との間の信号電圧Ｖ１４を検出計測する（Ｓ３１）。
【０１１４】
信号種識別用ＣＰＵ４０は、レンズユニットコネクタ２６の第１端子２６−１と第４端子２６−４との間の信号電圧Ｖ１４（絶対値）が、ビデオアイリス制御方式の電源電圧を基準に定められる所定電圧よりも大きいか否かを判定し（Ｓ３２）、この所定電圧よりも大きい場合（Ｓ３２のＹｅｓ）、ビデオカメラ本体１４からの信号の制御方式をビデオアイリス制御方式として識別する（Ｓ３７）。
【０１１５】
これは、ビデオアイリス制御方式の第１端子２６−１及び第４端子２６−４間の電圧によって定められる電源電圧が、「ＤＣアイリス制御方式の第１端子２６−１（制動信号：Ｄａｍｐ．−）と第４端子２６−４（駆動信号：Ｄｒｉｖｅ−）との間の電圧」や「Ｐアイリス制御方式の第１端子２６−１（Ａ相信号：＋Ａ相）と第４端子２６−４（Ａ相信号：−Ａ相）との間の電圧」よりも大きいことに由来する。
【０１１６】
したがって、上記判定（Ｓ３２）の際に用いられる「所定電圧」は、ビデオアイリス制御方式の電源電圧よりも小さく、且つ、ＤＣアイリス制御方式及びＰアイリス制御方式の第１端子２６−１と第４端子２６−４との間の電圧よりも大きければよい。図５に示す例では、ビデオアイリス制御方式の電源電圧が「９ボルト〜１２ボルト」程度であり、ＤＣアイリス制御方式及びＰアイリス制御方式の第１端子２６−１と第４端子２６−４との間の電圧が「４ボルト〜７ボルト」程度であることに鑑みて、上記「所定電圧」を８ボルトとした。
【０１１７】
一方、第１端子２６−１と第４端子２６−４との間の信号電圧Ｖ１４が上記所定電圧以下の場合（Ｓ３２のＮｏ）、信号種識別用ＣＰＵ４０は、第３端子２６−３と第４端子２６−４との間の信号電圧Ｖ３４を検出計測する（Ｓ３３）。
【０１１８】
信号種識別用ＣＰＵ４０は、第３端子２６−３と第４端子２６−４との間の信号電圧Ｖ３４（絶対値）が、ＤＣアイリス制御方式の駆動信号電圧を基準に定められる所定電圧よりも大きく、且つ、第３端子２６−３及び第４端子２６−４が受信する信号が直流信号（ＤＣ信号）であるか否かを判定する（Ｓ３４）。これらの条件を満たす場合（Ｓ３４のＹｅｓ）、信号種識別用ＣＰＵ４０は、ビデオカメラ本体１４からの信号の制御方式をＤＣアイリス制御方式として識別する（Ｓ３８）。
【０１１９】
これは、ＤＣアイリス制御方式の信号が直流信号であるのに対して、Ｐアイリス制御方式の信号がパルス信号であることに由来している。また、信号電圧Ｖ３４が「ＤＣアイリス制御方式の駆動信号電圧を基準に定められる所定電圧」よりも大きいか否かの判定は、主としてノイズ信号の影響を排除する目的であり、この所定電圧は、ＤＣアイリス制御方式の駆動信号電圧よりも小さく、且つ、排除対象のノイズ信号電圧よりも大きければよい。図５に示す例では、ＤＣアイリス制御方式の駆動信号電圧が「４ボルト」程度であることに鑑みて、上記「所定電圧」を３ボルトとした。
【０１２０】
なお、「第３端子２６−３及び第４端子２６−４が受信する信号が直流信号（ＤＣ信号）であるか否か」は任意の手法によって判定することができ、例えば、第３端子２６−３及び第４端子２６−４が受信する信号が一定時間（例えば３秒程度）ある電圧値以上を示す場合には、信号が直流信号であると判定することができる。これは、瞬間的な昇電圧挙動或いは減電圧挙動を示すパルス信号でないことを確認することで、直流信号か否かを判定可能であることに基づく。
【０１２１】
一方、第３端子２６−３と第４端子２６−４との間の信号電圧Ｖ３４が上記所定電圧以下の場合や第３端子２６−３及び第４端子２６−４が受信する信号が直流信号ではない場合（Ｓ３４のＮｏ）、信号種識別用ＣＰＵ４０は、第１端子２６−１と第４端子２６−４との間の信号電圧Ｖ１４及び第２端子２６−２と第３端子２６−３との間の信号電圧Ｖ２３を検出計測する（Ｓ３５）。
【０１２２】
信号種識別用ＣＰＵ４０は、第１端子２６−１と第４端子２６−４との間の信号電圧Ｖ１４及び第２端子２６−２と第３端子２６−３との間の信号電圧Ｖ２３の各々（絶対値）が、アイリスアクチュエータ２２（ステッピングモータ）の駆動用パルス信号の電圧を基準に定められる所定電圧よりも大きく、且つ、第１端子２６−１、第２端子２６−２、第３端子２６−３及び第４端子２６−４を介して通信される信号がパルス信号であるか否かを判定する（Ｓ３６）。これらの条件を満たす場合（Ｓ３６のＹｅｓ）、信号種識別用ＣＰＵ４０は、ビデオカメラ本体１４からの信号の制御方式がＰアイリス制御方式であると識別する（Ｓ３９）。
【０１２３】
これは、Ｐアイリス制御方式の駆動信号（ステッピングモータ用駆動信号）がパルス信号であり、且つ、そのようなパルス信号の電圧が「４ボルト」程度であることに由来している。また、信号電圧Ｖ１４及び信号電圧Ｖ２３の各々が「アイリスアクチュエータ２２（ステッピングモータ）の駆動用パルス信号の電圧を基準に定められる所定電圧」よりも大きいか否かの判定は、主としてノイズ信号の影響を排除する目的であり、この所定電圧は、Ｐアイリス制御方式のステッピングモータの駆動信号電圧よりも小さく、且つ、排除対象のノイズ信号電圧よりも大きければよい。図５に示す例では、Ｐアイリス制御方式の駆動信号電圧が「４ボルト」程度であることに鑑みて、上記「所定電圧」を３ボルトとした。
【０１２４】
「第１端子２６−１と第４端子２６−４との間の信号電圧Ｖ１４」及び「第２端子２６−２と第３端子２６−３との間の信号電圧Ｖ２３」のうちの一方又は両方が上記所定電圧以下である場合やパルス信号ではない場合（Ｓ３６のＮｏ）、レンズユニットコネクタ２６の各端子を介して通信される信号は、ビデオアイリス制御方式、ＤＣアイリス制御方式及びＰアイリス制御方式のいずれでもないと判定される。この場合、信号種識別用ＣＰＵ４０は、エラー信号をカメラ本体コントローラ３０に送信し、またパワーオフ回路４６にパワーオフ信号を送信してレンズユニット１２をパワーオフする（Ｓ４０：図４のＳ２２参照）。
【０１２５】
以上説明したように、本実施形態のレンズユニット１２（レンズユニットコントローラ２４）によれば、ビデオカメラ本体１４からのアイリス制御信号がＤＣアイリス制御方式やビデオアイリス制御方式であっても、Ｐアイリス制御方式のレンズユニット１２（アイリスアクチュエータ２２）を駆動制御して所望の絞り量にアイリス１８をコントロールすることができる。
【０１２６】
なお、上述の例は一例に過ぎず、同様の作用効果を奏することが可能な他の構成に対しても本発明を適用することが可能である。上述の各処理回路は、各種のハードウェア、ソフトウエア（プログラム）或いは両者の組み合わせによって適宜実現可能であり、複数の処理回路を単一構成の回路によって実現することも可能である。
【０１２７】
したがって、例えば図３では、信号種識別用ＣＰＵ４０、ＤＣ信号調整用ＣＰＵ４９及びビデオ信号調整用ＣＰＵ５５を別個の機能構成として図示しているが、単一のＣＰＵによって図３に示される各ＣＰＵを実現することも可能である。また、図３のステッピングモータドライバ５０及びステッピングモータドライバ５６についても同様であり、単一のドライバによって、これらのドライバを実現することが可能である。
【０１２８】
また、アイリスアクチュエータ２２は、他の方式のパルス信号駆動モータ（超音波モータ等）を採用することも可能である。
【符号の説明】
【０１２９】
１０…ビデオカメラ、１２…レンズユニット、１４…ビデオカメラ本体、１６…レンズ、１８…アイリス、２０…光学系操作部、２２…アイリスアクチュエータ、２４…レンズユニットコントローラ、２６…レンズユニットコネクタ、２８…撮像素子、３０…カメラ本体コントローラ、３２…カメラ本体メモリ、３４…カメラ本体コネクタ、３６…入出力インターフェース、４０…信号種識別用ＣＰＵ、４２…切替回路、４３…切替器、４４…切替器、４６…パワーオフ回路、４７…ＤＣアイリス信号変換回路、４８…デジタルコンバータ、４９…ＤＣ信号調整用ＣＰＵ、５０…ステッピングモータドライバ、５１…電源、５２…平滑回路、５３…レベル比較回路、５４…ＡＤ変換回路、５５…ビデオ信号調整用ＣＰＵ、５６…ステッピングモータドライバ、６０…ネットワーク、７０…管理ステーション、７２…管理ステーションインタフェース、７４…管理ステーションコントローラ、７６…ディスプレイ
【図１】
0005887464.tif 000002
【図２】
0005887464.tif 000003
【図３】
0005887464.tif 000004
【図４】
0005887464.tif 000005
【図５】
0005887464.tif 000006